(57)【要約】      （修正有）【課題】上の層と下の層を水平垂直にずらした形状を有する発砲ゴム系断熱材を提供する。【解決手段】重ね合わさった上層と下層の同じ形状の四角形の発泡ゴム系断熱材の下層の発泡ゴム系断熱材のみを残りの上層と下層の２層の部分面に段差が生じないように左右どちらかにずらし、またその下層の発泡ゴム系断熱材を左右どちらかにずらした状態のまま下層の発泡ゴム系断熱材を上下どちらかにずらした形状で、上層の発泡ゴム系断熱材から「Ｌ」字型に下層の発泡ゴム系断熱材がはみ出した形状を具備し、当該発泡ゴム系断熱材の加工・取り付け・継ぎ足しができることを特徴とする１枚に加工されたもしくは２枚を貼り合わせた発泡ゴム系断熱材。【選択図】図１
0003222498.tif 000002
【実用新案登録請求の範囲】
【請求項１】
二層の発泡ゴム系断熱材の上の層と下の層を水平垂直にずらした形状を具備し、当該発泡ゴム系断熱材の加工・取り付け・継ぎ足しができることを特徴とする１枚に加工されたもしくは２枚を貼り合わせた発泡ゴム系断熱材。
【請求項２】
上記発泡ゴム系断熱材は、発泡ゴム独立気泡断熱材、特殊発泡ゴム断熱材、独立気泡断熱材とすることを特徴とする請求項１に記載の発泡ゴム系断熱材。
【考案の詳細な説明】
【技術分野】
【０００１】  本考案は上の層と下の層を水平垂直にずらした形状を有する発泡ゴム系断熱材の加工及び取り付け方法に関するものである。
【背景技術】
【０００２】  ビル等の建物において、屋内・屋外に設置された配管・ダクトの保温材としてグラスウール・ロックウール・ポリスチレンフォーム等が使われることが多く、発泡ゴム系断熱材が使用されることは極めて少なかった。
【考案の概要】
【考案が解決しようとする課題】
【０００３】  従来発泡ゴム系断熱材は施工方法が特殊であり、取付け時にズレや隙間が発生した場合、見た目が悪くなり、またそれらを補修することで余計に見た目が悪くなってしまう。
【課題が解決するための手段】
【０００４】  本考案は上記従来例の問題点を解決すべく二層の発泡ゴム系断熱材の上層部と下層部を水平垂直にずらした形状の重ね幅（図１‐３、４、５、６）を具備することにより、加工及び取り付けにおける問題点を解決している。
【考案の効果】
【０００５】  配管・ダクトに二層の発泡ゴム系断熱材の上層部と下層部を水平垂直にずらした形状の発泡ゴム系断熱材を外周に廻し下層部の断面箇所（図２‐９、１０）と上層部の断面箇所（図２‐７、８）をまた、下層部の平面箇所（図１‐３）と上層部の平面箇所（図‐４）をのりしろ部として重ね合わせる。
【０００６】  また、発泡ゴム系断熱材を継ぎ足す場合、最初に取り付けた二層形状の発泡ゴム系断熱材の上層より外に出ている下層部（図１‐５）と継ぎ足す為に配管・ダクトに廻した二層の発泡ゴム系断熱材の下層より外に出ている上層部（図１‐６）を重ね合わせる。
【図面の簡単な説明】
【０００７】
【図１】水平垂直にずらし加工された１枚もしくは水平垂直にずらして貼り合わせた二層の発泡ゴム系断熱材の展開図
【図２】図１の（１）の方向からの断面図
【図３】図１の（２）の方向からの断面図
【図４】水平垂直にずらした二層形状の発泡ゴム系断熱材の（３）と（４）・（７）と（８）・（９）と（１０）を貼り合わせた立体図
【考案を実施するための形態】
【０００８】  本来、設置された配管・ダクトに施工する保温材等の外装材として使用されている発泡ゴム系断熱材の取り付けが難しく、施工する上での技術が必要となり技術を伴う作業員の数が減少している中で難しい加工・取り付けを容易に出来るように工夫されたものが「上の層と下の層を水平垂直にずらして加工した二層形状の発泡ゴム系断熱材」である。
【実施例】
【０００９】水平垂直にずらして加工された二層形状の発泡ゴム系断熱材（図１）を使用することにより、（９）と（１０）を一層目の仮止めとして取付け、その後両サイドのズレ、サイズ違いによる隙間が無いことを確認してから二層目の（３）と（４）・（７）と（８）を取付けることが出来る。その結果、凹凸を無くしまた、継ぎ足しが出来るようになり表面上の隙間を作らずに仕上げることが可能となる。【００１０】１枚の板状の発泡ゴム系断熱材シートに決められた寸法に合わせてあらかじめ線を描いておき、その線に合わせて２枚の発泡ゴム系断熱材シートをずらして重ねることにより簡易的に上の層と下の層を水平垂直にずらした二層の発泡ゴム系断熱材シートが作製可能となる。
【符号の説明】
【００１１】１  １枚に加工されたもしくは２枚を貼り合わせた発泡ゴム系断熱材の上層部より突き出している下層部分方向から見た発泡ゴム系断熱材の断面図。
２  １枚に加工されたもしくは２枚を貼り合わせた発泡ゴム系断熱材の断面図であり、反対側の断面と突き合わせ配管・ダクトを包む形で断熱をする。
３  １枚に加工されたもしくは２枚を貼り合わせた発泡ゴム系断熱材の下層部より突き出している上層部分であり、その部分の下面と上層部より突き出している下層部分の上面を貼り付け配管・ダクトを包む形で断熱をする。
４  １枚に加工されたもしくは２枚を貼り合わせた発泡ゴム系断熱材の上層部より突き出している下層部分であり、その部分の上面と下層部より突き出している上層部分の下面を貼り付け配管・ダクトを包む形で断熱をする。
５  １枚に加工されたもしくは２枚を貼り合わせた発泡ゴム系断熱材の上層部より突き出している下層部分。
６  １枚に加工されたもしくは２枚を貼り合わせた発泡ゴム系断熱材の下層部より突き出している上層部分。
７  （１）から見た１枚に加工されたもしくは２枚を貼り合わせた発泡ゴム系断熱材の上層部の左側面
８  （１）から見た１枚に加工されたもしくは２枚を貼り合わせた発泡ゴム系断熱材の上層部の右側面
９  （１）から見た１枚に加工されたもしくは２枚を貼り合わせた発泡ゴム系断熱材の下層部の左側面
１０  （１）から見た１枚に加工されたもしくは２枚を貼り合わせた発泡ゴム系断熱材の下層部の右側面
１１  （２）から見た１枚に加工されたもしくは２枚を貼り合わせた発泡ゴム系断熱材の上層部の左側面
１２  （２）から見た１枚に加工されたもしくは２枚を貼り合わせた発泡ゴム系断熱材の上層部の右側面
１３  （２）から見た１枚に加工されたもしくは２枚を貼り合わせた発泡ゴム系断熱材の下層部の左側面
１４  （２）から見た１枚に加工されたもしくは２枚を貼り合わせた発泡ゴム系断熱材の下層部の右側面
【図１】
0003222498.tif 000003
【図２】
0003222498.tif 000004
【図３】
0003222498.tif 000005
【図４】
0003222498.tif 000006
【手続補正書】
【提出日】平成31年1月18日(2019.1.18)
【手続補正１】
【補正対象書類名】実用新案登録請求の範囲
【補正対象項目名】全文
【補正方法】変更
【補正の内容】
【実用新案登録請求の範囲】
【請求項１】
重ね合わさった上層と下層の同じ形状の四角形の発泡ゴム系断熱材の下層の発泡ゴム系断熱材のみを残りの上層と下層の２層の部分面に段差が生じないように左右どちらかにずらし、またその下層の発泡ゴム系断熱材を左右どちらかにずらした状態のまま下層の発泡ゴム系断熱材を上下どちらかにずらした形状で、上層の発泡ゴム系断熱材から「Ｌ」字型に下層の発泡ゴム系断熱材がはみ出した形状を具備し、当該発泡ゴム系断熱材の加工・取り付け・継ぎ足しができることを特徴とする１枚に加工されたもしくは２枚を貼り合わせた発泡ゴム系断熱材。
【請求項２】
上記発泡ゴム系断熱材とは、発泡ゴム独立気泡断熱材、特殊発泡ゴム断熱材、独立気泡断熱材の全てを含むものである。
【手続補正書】
【提出日】令和1年5月16日(2019.5.16)
【手続補正１】
【補正対象書類名】実用新案登録請求の範囲
【補正対象項目名】全文
【補正方法】変更
【補正の内容】
【実用新案登録請求の範囲】
【請求項１】
重ね合わさった上層と下層の同じ形状の四角形の発泡ゴム系断熱材の下層の発泡ゴム系断熱材のみを残りの上層と下層の２層の部分面に段差が生じないように左右どちらかにずらし、またその下層の発泡ゴム系断熱材を左右どちらかにずらした状態のまま下層の発泡ゴム系断熱材を上下どちらかにずらした形状で、上層の発泡ゴム系断熱材から「Ｌ」字型に下層の発泡ゴム系断熱材がはみ出した形状を具備し、当該発泡ゴム系断熱材の加工・取り付け・継ぎ足しができることを特徴とする１枚に加工されたもしくは２枚を貼り合わせた発泡ゴム系断熱材。
【請求項２】
上記発泡ゴム系断熱材は、発泡ゴム独立気泡断熱材、特殊発泡ゴム断熱材、独立気泡断熱材のうちの少なくとも１つであることを特徴とする
請求項１に記載の発泡ゴム系断熱材。